(57)【要約】【課題】ウィンドスクリーンを使用して録音する際、手間を要することなく録音条件を設定でき、且つ、ユーザ所望の録音条件を設定できる技術を実現すること。【解決手段】音声を収音するマイク部１８を覆うウィンドスクリーン２が装着される録音装置１において、記憶部１６と、ウィンドスクリーン２が装着されているか否かを検出する検出ＳＷ１７と、検出ＳＷ１７によりウィンドスクリーン２の装着が検出された場合、検出ＳＷ１７より出力されるＯＮ信号に基づいて、検出されたウィンドスクリーン２の種別を判別し、当該判別されたウィンドスクリーン２の種別に対応して予め定められているイコライズ特性に基づいて、マイク部１８により収音して得られた音声信号を処理し、当該処理された音声信号を記憶部１６に記憶させるＣＰＵ１１と、を備える。【選択図】図４
2010246069.tif 000002
【特許請求の範囲】
【請求項１】
音声を収音する収音部を覆うウィンドスクリーンが装着される録音装置において、
情報を記憶する記憶部と、
前記ウィンドスクリーンが装着されているか否かを検出する検出部と、
前記検出部により前記ウィンドスクリーンの装着が検出された場合、前記検出部より出力される検出信号に基づいて、前記検出されたウィンドスクリーンの種別を判別し、当該判別されたウィンドスクリーンの種別に対応して予め定められている録音条件に基づいて、前記収音部により収音して得られた音声信号を処理し、当該処理された音声信号を前記記憶部に記憶させる制御部と、
を備える録音装置。
【請求項２】
前記記憶部は、
前記ウィンドスクリーンの種別と前記録音条件とを対応付けて記憶し、
前記制御部は、
前記判別されたウィンドスクリーンの種別に対応する前記録音条件を前記記憶部から読み出し、当該読み出された録音条件に基づいて、前記音声信号を処理する請求項１に記載の録音装置。
【請求項３】
前記検出部は、
前記ウィンドスクリーンに設けられた突起部と接触することにより前記ウィンドスクリーンが装着されたことを検出するスイッチである請求項１又は２に記載の録音装置。
【請求項４】
前記制御部は、
前記検出部により前記ウィンドスクリーンの装着が検出された場合に、自装置を録音スタンバイ状態に移行させる請求項１から３のいずれか一項に記載の録音装置。
【請求項５】
前記検出部は、
前記収音部を保護するための保護カバーの装着を検出し、
前記制御部は、
前記検出部により前記収音部を保護するための保護カバーの装着が検出された場合、自装置の電源をオフにする請求項１から４のいずれか一項に記載の録音装置。
【発明の詳細な説明】
【技術分野】
【０００１】
本発明は、録音装置に関する。
【背景技術】
【０００２】
従来より、録音装置にウィンドスクリーンを装着する技術が知られている。
【０００３】
例えば、ポータブル用の録音装置を用いて屋外で録音をする際、録音装置のマイク部に風が吹きつけられることで風切り音が発生し、録音品質に悪影響を与える。このため、録音装置のマイク部にウレタンや繊維素材で構成されたウィンドスクリーンを装着し、風切り音の悪影響を低減させる技術が知られている。
【０００４】
また、ウィンドスクリーンの装着／未装着の状態を２つのフォトトランジスタを用いて検出し、検出した結果に基づき、イコライザを有効又は無効とするように切り換える技術も知られている（例えば、特許文献１参照）。
【先行技術文献】
【特許文献】
【０００５】
【特許文献１】特開２００５−１８４３１５号公報
【発明の概要】
【発明が解決しようとする課題】
【０００６】
しかしながら、録音装置にウィンドスクリーンを装着すると、音声特性の変化（音声レベルの低下、音声の周波数特性の変化）が生じる。また、ウィンドスクリーンは、録音目的に応じて使用する種別が異なる。このため、ウィンドスクリーンの種別に応じて、音声特性の変化が生じてしまうという問題があった。また、上述の特許文献１には、ウィンドスクリーンの種別を判別する技術は記載されていない。このため、ユーザは、ウィンドスクリーンの種別に応じて、音声特性の変化を補正するための条件（録音条件）を手動（マニュアル）で調整（設定）する必要があり、手間を要していた。
【０００７】
また、ウィンドスクリーンを使用して録音する際、同じ種別のウィンドスクリーンであっても、ユーザ所望の録音条件で録音したい場合もある。
したがって、ウィンドスクリーンを使用して録音する際、手間を要することなく録音条件を設定でき、且つ、ユーザ所望の録音条件を設定できる技術を実現する要請があった。
【０００８】
本発明の課題は、ウィンドスクリーンを使用して録音する際、手間を要することなく録音条件を設定でき、且つ、ユーザ所望の録音条件を設定できる技術を実現することである。
【課題を解決するための手段】
【０００９】
上記課題を解決するために、請求項１に記載の発明の録音装置は、
音声を収音する収音部を覆うウィンドスクリーンが装着される録音装置において、
情報を記憶する記憶部と、
前記ウィンドスクリーンが装着されているか否かを検出する検出部と、
前記検出部により前記ウィンドスクリーンの装着が検出された場合、前記検出部より出力される検出信号に基づいて、前記検出されたウィンドスクリーンの種別を判別し、当該判別されたウィンドスクリーンの種別に対応して予め定められている録音条件に基づいて、前記収音部により収音して得られた音声信号を処理し、当該処理された音声信号を前記記憶部に記憶させる制御部と、
を備える。
【００１０】
請求項２に記載の発明は、請求項１に記載の録音装置において、
前記記憶部は、
前記ウィンドスクリーンの種別と前記録音条件とを対応付けて記憶し、
前記制御部は、
前記判別されたウィンドスクリーンの種別に対応する前記録音条件を前記記憶部から読み出し、当該読み出された録音条件に基づいて、前記音声信号を処理する。
【００１１】
請求項３に記載の発明は、請求項１又は２に記載の録音装置において、
前記検出部は、
前記ウィンドスクリーンに設けられた突起部と接触することにより前記ウィンドスクリーンが装着されたことを検出するスイッチである。
【００１２】
請求項４に記載の発明は、請求項１から３のいずれか一項に記載の録音装置において、前記制御部は、
前記検出部により前記ウィンドスクリーンの装着が検出された場合に、自装置を録音スタンバイ状態に移行させる。
【００１３】
請求項５に記載の発明は、請求項１から４のいずれか一項に記載の録音装置において、
前記検出部は、
前記収音部を保護するための保護カバーの装着を検出し、
前記制御部は、
前記検出部により前記収音部を保護するための保護カバーの装着が検出された場合、自装置の電源をオフにする。
【発明の効果】
【００１４】
本発明によれば、ウィンドスクリーンを使用して録音する際、手間を要することなく録音条件を設定でき、且つユーザ所望の録音条件を設定することができる。
【図面の簡単な説明】
【００１５】
【図１】（Ａ）は、本発明に係る録音装置にウィンドスクリーンが装着される前の状態を示した図である。（Ｂ）は、本発明に係る録音装置にウィンドスクリーンが装着した状態を示す図である。
【図２】本発明に係る録音装置の内部構成を示す図である。
【図３】（Ａ）は、ウィンドスクリーンの突起部が検出ＳＷを押下する前の状態を示す図である。（Ｂ）は、ウィンドスクリーンの装着時に、突起部により検出用ＳＷが押下された状態を示す図である。
【図４】（Ａ）は、ウィンドスクリーンの種別を示す図である。（Ｂ）は、複数の検出ＳＷを備えた録音装置を示す図である。（Ｃ）は、検出ＳＷのＯＮ／ＯＦＦ状態とウィンドスクリーンの種別との関係を示す図である。
【図５】第１の処理の流れを示すフローチャートである。
【図６】第２の処理の流れを示すフローチャートである。
【図７】第３の処理の流れを示すフローチャートである。
【図８】ウィンドスクリーンの種別とイコライズ特性との関係を示す図である。
【図９】（Ａ）は、録音装置がウィンドスクリーンに装着されたときの状態を示した図である。（Ｂ）は、ウィンドスクリーンの種別に応じて、レバーの位置が変わることを示した図である。
【発明を実施するための形態】
【００１６】
以下、添付図面を参照して本発明に係る実施の形態を詳細に説明する。ただし、発明の範囲は、図示例に限定されない。
【００１７】
図１〜図８を参照して本発明に係る実施の形態を説明する。先ず、図１を参照して、本実施の形態に係る録音装置１の概略図について説明する。図１（Ａ）は、録音装置１にウィンドスクリーン２が装着（ウィンドスクリーン２が録音装置１に嵌合）される前の状態を示す図である。
【００１８】
録音装置１は、ポータブル型の録音装置であり、内蔵されたマイク部１８を備える。録音装置１の内部構成については後述する。
【００１９】
ウィンドスクリーン２は、録音装置１のマイク部１８を覆うためのものであり、樹脂製のホルダ部２Ａの外側にウレタン樹脂２Ｂを貼り合わせることで構成される。
【００２０】
図１（Ｂ）は、録音装置１にウィンドスクリーン２が装着されたときの状態を示す図である。ウィンドスクリーン２のホルダ部２Ａが録音装置１の筐体に嵌合することで録音装置１にウィンドスクリーン２が固定（装着）される。
【００２１】
次に、図２を参照して、録音装置１の内部構成について説明する。図２に示すように録音装置１は、制御部としてのＣＰＵ（Central Processing Unit）１１と、ＲＯＭ（Read Only Memory）１２と、ＲＡＭ（Random Access Memory）１３と、表示部１４と、操作部１５と、記憶部１６と、検出部としての検出ＳＷ（スイッチ）１７と、マイク部１８と、を備えて構成される。
【００２２】
ＣＰＵ１１は、録音装置１の各部を中央制御する。ＣＰＵ１１は、ＲＯＭ１２に記憶されているシステムプログラム及び各種アプリケーションプログラムの中から指定されたプログラムを当該ＲＡＭ１３に展開し、ＲＡＭ１３に展開されたプログラムとの協働で、各種処理を実行する。
【００２３】
具体的には、ＣＰＵ１１は、検出ＳＷ１７によりウィンドスクリーン２の装着が検出された場合に、検出ＳＷ１７より出力される検出信号（ＯＮ信号）に基づいて、検出されたウィンドスクリーン２の種別を判別する。そして、ＣＰＵ１１は、判別されたウィンドスクリーンの種別に対応して予め定められている録音条件に基づいて、マイク部１８により収音して得られた音声信号を処理（補正）し、当該処理された音声信号を録音ファイルとして記憶部１６に記憶させる。
ここで、録音条件は、ウィンドスクリーン２が装着されることにより生じる音声特性の変化（音声信号のレベルの低下、音声信号の周波数特性の変化等）を補正するための条件を示す。本実施の形態では、録音条件として、イコライズ特性（音声信号の周波数特性の変化を補正するための周波数特性）を用いて説明する。
【００２４】
ＲＯＭ１２は、情報の書き換え可能な記録媒体であって、ＣＰＵ１１により実行されるプログラムを記憶している。具体的には、ＲＯＭ１２には、後述する第１、第２、第３のプログラムが記憶される。
【００２５】
ＲＡＭ１３は、揮発性のメモリである。また、ＲＡＭ１３は、実行される各種プログラムやこれら各種プログラムに係るデータ等を格納するワークエリアを有する。
【００２６】
表示部１４は、ＬＣＤ（Liquid Crystal Display）等により構成され、ＣＰＵ１１から入力される表示制御信号に従って画面表示を行う。
【００２７】
操作部１５は、各種入力キー等を備え、ユーザからの各種情報の操作入力を各種入力キーから受け付け、その情報をＣＰＵ１１に出力する。
【００２８】
記憶部１６は、磁気記録媒体を有するＨＤＤ（Hard Disk Drive）等により構成され、各種プログラム及び各種データを記録媒体から読み出し及び書き込み可能に記憶する。具体的には、記憶部１６は、後述するテーブル４１、テーブル８１等を記憶する。
【００２９】
検出ＳＷ１７は、録音装置１にウィンドスクリーン２が装着されたか否かを検出するためのスイッチである。例えば、録音装置１にウィンドスクリーン２が装着されて、ウィンドスクリーン２の突起部２Ｃ（後述）により検出ＳＷ１７が押下された場合、検出ＳＷ１７は、録音装置１にウィンドスクリーン２が装着されたことを示す検出信号（ＯＮ信号）をＣＰＵ１１に出力する。また、検出ＳＷ１７は、突起部２Ｃにより押下されなかった場合は、ＯＮ信号をＣＰＵ１１に出力しない。
【００３０】
マイク部１８は、音声を収音するためのマイクである。マイク部１８は、収音した音声を音声信号に変換し、当該変換した音声信号を図示しないＡ／Ｄ変換部を介してデジタル化し、ＣＰＵ１１に出力する。
【００３１】
次に、図３を参照して、検出ＳＷ１７により録音装置１にウィンドスクリーン２が装着されたか否かを検出する方法について説明する。図３（Ａ）は、装置前におけるウィンドスクリーン２の断面図と、録音装置１の断面図を示した図である。図３（Ａ）に示すように、ウィンドスクリーン２は、ホルダ部２Ａに突起部２Ｃを備える。また、録音装置１は、突起部２Ｃに相対する位置に検出ＳＷ１７を備える。
【００３２】
図３（Ｂ）は、装着時におけるウィンドスクリーン２の断面図と、録音装置１の断面図を示した図である。図３（Ｂ）に示すように、録音装置１にウィンドスクリーン２が装着されると、突起部２Ｃにより検出ＳＷ１７が押下される。検出ＳＷ１７が押下されると、検出ＳＷ１７からＯＮ信号がＣＰＵ１１に出力される。
【００３３】
次に、図４を参照して、ウィンドスクリーン２の種別を判別する方法について説明する。先ず、図４（Ａ）について説明する。図４（Ａ）は、種別の異なるウィンドスクリーン２１Ａ，２１Ｂ，２１Ｃの断面図を示す図である。図４（Ａ）に示すように、ウィンドスクリーン２１Ａ，２１Ｂ，２１Ｃは、それぞれ、突起部２Ｃの位置や数が異なる。すなわち、ウィンドスクリーンの種別に応じて、突起部２Ｃの位置や数が異なる。
【００３４】
図４（Ｂ）は、ウィンドスクリーン２が録音装置１に装着され、突起部２Ｃと検出ＳＷ１７Ａ，１７Ｂとが接触したとき（突起部２Ｃにより検出ＳＷ１７Ａ，１７Ｂが押下されたとき）の断面図を示す図である。図４（Ｂ）に示すように、検出ＳＷ１７Ａ，１７Ｂは突起部２Ｃに相対する位置に設けられており、ウィンドスクリーン２が録音装置１に装着されると、突起部２Ｃにより押下される。
【００３５】
図４（Ｃ）は、検出ＳＷ１７Ａ，１７ＢのＯＮ／ＯＦＦ状態とウィンドスクリーンの種別とが対応付けられたテーブル４１を示す図である。図４（Ａ）に示す「ＯＮ」「ＯＦＦ」は、検出ＳＷ１７Ａ，１７Ｂが突起部２Ｃにより押下された状態であるか否かを示す押下情報である。具体的には、「ＯＮ」は、検出ＳＷ１７Ａ（又は検出ＳＷ１７Ｂ）が突起部２Ｃにより押下された状態であることを示す情報である。「ＯＦＦ」は、検出ＳＷ１７Ａ（又は検出１７Ｂ）が突起部２Ｃにより押下されていない状態であることを示す情報である。また、図４（Ｃ）に示すウィンドスクリーン種別は、ウィンドスクリーンの種別を示す情報である。ウィンドスクリーン種別は、ウィンドスクリーンに設けられた突起部２Ｃの位置及び数に応じて異なる情報が記憶される。
【００３６】
例えば、図４（Ｂ）に示すように、録音装置１が検出１７Ａ，１７Ｂを備えており、図４（Ｃ）に示すようにテーブル４１が予め記憶部１６に記憶されていたとする。また、ウィンドスクリーン２１Ａが録音装置１に装着され、突起部２Ｃにより検出ＳＷ１７Ａが押下されたとする。この場合、検出ＳＷ１７ＡのみからＯＮ信号がＣＰＵ１１に出力される（この場合、検出ＳＷ１７ＢからはＯＮ信号は出力されない）。そうすると、ＣＰＵ１１により、検出ＳＷ１７ＡのみからＯＮ信号が受信され、当該ＯＮ信号と一致する押下情報（すなわち、検出ＳＷ１７Ａのみが「ＯＮ」である押下情報：検出ＳＷ１７Ａ「ＯＮ」、検出ＳＷ１７Ｂ「ＯＦＦ」）がテーブル４１から検索される。そして、ＣＰＵ１１により、検索された押下情報に対応するウィンドスクリーンの種別（この場合、ウィンドスクリーン２１Ａ）がテーブル４１から読み出されることで、ウィンドスクリーンの種別が判別される。
【００３７】
次に、図５〜８を参照して、録音装置１の動作を説明する。先ず、図５を参照して、録音装置１で実行される第１の処理を示す。第１の処理は、検出ＳＷ１７から出力される検出信号に基づいて、ウィンドスクリーンの種別を判別し、判別されたウィンドスクリーンの種別に対応する録音条件（イコライズ特性）に基づいて、マイク部１８により収音して得られた音声信号を処理（補正）して録音ファイルを生成し、当該生成された録音ファイルを記憶部１６に記憶させる処理である。
【００３８】
例えば、録音装置１において、ユーザにより操作部１５を介して第１の処理の実行指示が入力されたことをトリガとして、ＲＯＭ１２から読み出されて適宜ＲＡＭ１３に展開された第１のプログラムと、ＣＰＵ１１との協働により第１の処理が実行される。
【００３９】
予め、図４（Ｂ）に示すように、録音装置１は検出ＳＷ１７Ａ，１７Ｂを備え、図４（Ｃ）に示すテーブル４１及び図８（後述）に示すテーブル８１が記憶部１６に記憶されているものとする。
【００４０】
先ず、ウィンドスクリーンの装着を検出したか否かが判別される（ステップＳ１１）。具体的には、ウィンドスクリーン２が録音装置１に装着されることにより、検出ＳＷ１７からＯＮ信号がＣＰＵ１１に出力され、ＣＰＵ１１によりＯＮ信号が受信されたか否かに基づいて、本ステップの判別が行われる。
【００４１】
ステップＳ１１において、ウィンドスクリーンの装着が検出されていないと判別された場合（ステップＳ１１；ＮＯ）、ステップＳ１１に移行される。ステップＳ１１において、ウィンドスクリーンの装着が検出されたと判別された場合（ステップＳ１１；ＹＥＳ）、ウィンドスクリーンの種別の判別が行われる（ステップＳ１２）。具体的には、図４を参照して説明したように、検出ＳＷ１７から出力されたＯＮ信号に基づいて、本ステップの判別が行われる。
【００４２】
ステップＳ１２において、ウィンドスクリーン２の種別がＡ（ウィンドスクリーン２１Ａ）と判別された場合（ステップＳ１２；種別Ａ）、録音条件Ａが読み込まれる（ステップＳ１３）。具体的には、録音条件Ａとして記憶部１６に予め設定されたイコライズ特性が読み込まれる。例えば、図８に示すテーブル８１が予め記憶部１６に設定（記憶）されていた場合、ステップＳ１２で判別されたウィンドスクリーンの種別（種別Ａ：ウィンドスクリーン２１Ａ）に対応したイコライズ特性（イコライズ特性Ａ）が読み込まれる。
【００４３】
ステップＳ１２において、ウィンドスクリーン２の種別がＢ（ウィンドスクリーン２１Ｂ）と判別された場合（ステップＳ１２；種別Ｂ）、録音条件Ｂが読み込まれる（ステップＳ１４）。例えば、図８に示すテーブル８１が予め記憶部１６に設定（記憶）されていた場合、ステップＳ１２で判別されたウィンドスクリーンの種別（種別Ｂ：ウィンドスクリーン２１Ｂ）に対応したイコライズ特性（イコライズ特性Ｂ）が読み込まれる。
【００４４】
ステップＳ１３又はステップＳ１４の実行後、録音開始か否かが判別される（ステップＳ１５）。具体的には、操作部１５を介してユーザにより録音開始を実行する旨の操作入力がされたか否かに基づいて、本ステップの判別が行われる。ステップＳ１５において、録音開始でないと判別された場合（ステップＳ１５；ＮＯ）、ステップＳ１５に移行される。
【００４５】
ステップＳ１５において、録音開始であると判別された場合（ステップＳ１５；ＹＥＳ）、読み込まれた録音条件に基づいて、音声信号の処理が行われる（ステップＳ１６）。具体的には、ステップＳ１３又はステップＳ１４で読み込まれた録音条件（イコライズ特性）に基づいて、マイク部１８により収音して得られた音声信号の処理（補正）が行われる。例えば、イコライズ特性Ａが読み込まれた場合、イコライズ特性Ａがマイク部１８により収音して得られた音声信号に対して適用されることで、音声信号の補正が行われる。そして、補正された音声信号に基づいて、録音ファイルが生成される。
【００４６】
ステップＳ１６の実行後、録音終了か否かが判別される（ステップＳ１７）。具体的には、操作部１５を介してユーザにより録音終了を実行する旨の操作入力がされたか否かに基づいて、本ステップの判別が行われる。
【００４７】
ステップＳ１７において、録音終了でないと判別された場合（ステップＳ１７；ＮＯ）、ステップＳ１７に移行される。ステップＳ１７において、録音終了と判別された場合（ステップＳ１７；ＹＥＳ）、録音ファイルが保存される（ステップＳ１８）。具体的には、ステップＳ１６において生成された録音ファイルが記憶部１６に記憶される。ステップＳ１８の実行後、第１の処理は終了される。
【００４８】
次に、図６を参照して、録音装置１で実行される第２の処理を示す。第２の処理は、検出ＳＷ１７から出力される検出信号に基づいて、ウィンドスクリーンの種別を判別し、判別されたウィンドスクリーンの種別に対応する録音条件（イコライズ特性）を読み込むとともに、録音装置１を録音スタンバイ状態に設定し、録音開始の指示があった場合に、イコライズ特性に基づいて、マイク部１８により収音して得られた音声信号を処理（補正）して録音ファイルを生成し、当該生成された録音ファイルを記憶部１６に記憶させる処理である。
【００４９】
例えば、録音装置１において、ユーザにより操作部１５を介して第２の処理の実行指示が入力されたことをトリガとして、ＲＯＭ１２から読み出されて適宜ＲＡＭ１３に展開された第２のプログラムと、ＣＰＵ１１との協働により第２の処理が実行される。
【００５０】
予め、図４（Ｂ）に示すように、録音装置１は検出ＳＷ１７Ａ，１７Ｂを備え、図４（Ｃ）に示すテーブル４１及び図８に示すテーブル８１が記憶部１６に記憶されているものとする。
【００５１】
ステップＳ２１，２２は、第１の処理のステップＳ１１，１２とそれぞれ同様である。ステップＳ２２において、ウィンドスクリーンの種別がＡと判別された場合（ステップＳ２２；種別Ａ）、録音条件Ａが読み込まれ、録音スタンバイ状態となる（ステップＳ２３）。例えば、ステップＳ２２で判別されたウィンドスクリーンの種別（種別Ａ：ウィンドスクリーン２１Ａ）に対応するイコライズ特性（イコライズ特性Ａ）が読み込まれ、録音装置１が録音動作（録音ファイルを生成し、当該生成された録音ファイルを記憶部１６に記憶する動作）のスタンバイ状態に設定される。
【００５２】
ステップＳ２２において、ウィンドスクリーンの種別がＢと判別された場合（ステップＳ２２；種別Ｂ）、録音条件Ｂが読み込まれ、録音スタンバイ状態となる（ステップＳ２４）。例えば、ステップＳ２２で判別されたウィンドスクリーンの種別（種別Ｂ：ウィンドスクリーン２１Ｂ）に対応するイコライズ特性（イコライズ特性Ｂ）が読み込まれ、録音装置１が録音動作のスタンバイ状態に設定される。
【００５３】
ステップＳ２５〜ステップＳ２８は、第１の処理のステップＳ１５〜ステップＳ１８とそれぞれ同様である。ステップＳ２８の実行後、第２の処理は終了される。
【００５４】
次に、図７を参照して、録音装置１で実行される第３の処理を示す。第３の処理は、検出ＳＷ１７から出力される検出信号に基づいて、装着物（ウィンドスクリーン２又はマイク部１８の保護カバー）の種別を判別し、判別された装着物の種別に対応する録音条件（イコライズ特性）に基づいて、マイク部１８により収音して得られた音声信号を処理（補正）して録音ファイルを生成し、当該生成された録音ファイルを記憶部１６に記憶させる処理である。
【００５５】
例えば、録音装置１において、ユーザにより操作部１５を介して第３の処理の実行指示が入力されたことをトリガとして、ＲＯＭ１２から読み出されて適宜ＲＡＭ１３に展開された第３のプログラムと、ＣＰＵ１１との協働により第３の処理が実行される。
【００５６】
予め、図４（Ｂ）に示すように、録音装置１は、検出ＳＷ１７Ａ，１７Ｂを備えているものとする。また、検出ＳＷ１７のＯＮ／ＯＦＦ状態と装着物の種別（ウィンドスクリーン２又はマイク部１８の保護カバー）とが対応付けられたテーブルが記憶部１６に記憶されているものとする。また、装着物の種別とイコライズ特性とが対応付けられたテーブルが記憶部１６に記憶されているものとする。ここで、マイク部１８の保護カバーは、装着に関してウィンドスクリーン２と互換性があるものとする。
【００５７】
先ず、装着物を検出したか否かが判別される（ステップＳ３１）。具体的には、装着物が録音装置１に装着されることにより、検出ＳＷ１７からＯＮ信号がＣＰＵ１１に出力され、ＣＰＵ１１によりＯＮ信号が受信されたか否かに基づいて、本ステップの判別が行われる。
【００５８】
ステップＳ３３は、第１の処理のステップＳ１１と同様である。すなわち、検出ＳＷ１７から出力されたＯＮ信号に基づいて、装着物の種別の判別が行われる。例えば、記憶部１６に記憶されているテーブルにおいて、検出ＳＷ１７Ａ「ＯＮ」及び検出ＳＷ１７Ｂ「ＯＮ」と、装着物の種別が「マイク部１８の保護カバー」とが対応付けられており、検出ＳＷ１７Ａ及び検出ＳＷ１７ＢからＯＮ信号が出力された場合、装着物の種別はマイク部の保護カバーと判別される。
【００５９】
ステップＳ３３において、装着物の種別がマイク部１８の保護カバーであると判別された場合（ステップＳ３３；カバー）、録音装置１の電源がオフされる（ステップＳ３９）。ステップＳ３９の実行後、第３の処理は終了される。
【００６０】
ステップＳ３３〜ステップＳ３８は、第１の処理のステップＳ１３〜ステップＳ１８と同様である。
【００６１】
以上、本実施の形態によれば、ウィンドスクリーン２の種別を判別し、判別されたウィンドスクリーン２の種別に対応して予め定められている録音条件（イコライズ特性）に基づいて、音声信号を処理（補正）し、当該処理された音声信号を録音ファイルとして記憶部１６に記憶させる。これにより、ユーザは、ウィンドスクリーン２の種別に応じて、イコライズ特性の補正を手動で行う必要がないので、手間を要することなく録音条件の設定（イコライズ特性の補正）を行うことができる。また、イコライズ特性をユーザ所望の値に設定しておけば、ユーザ所望のイコライズ特性に基づいて音声信号が補正されるので、ユーザ所望の録音条件の設定（イコライズ特性の補正）をするこができる。
【００６２】
また、判別されたウィンドスクリーン２の種別に対応するイコライズ特性を記憶部１６から読み込み（読み出し）、読み出されたイコライズ特性に基づいて、音声信号を補正する。これにより、ウィンドスクリーン２の種別に対応するイコライズ特性をユーザ所望の値として記憶部１６に記憶させておけば、記憶部１６に記憶されたイコライズ特性に基づいて音声信号が補正されるので、ユーザ所望のイコライズ特性の補正をすることができる。また、ウィンドスクリーンの種別に対応するイコライズ特性をプリセット値（出荷時の値）として記憶部１６に記憶させておけば、プリセット値であるイコライズ特性に基づいて音声信号が補正されるので、ユーザは、手間を要することなくイコライズ特性の補正を行うことができる。
【００６３】
また、録音装置１は、ウィンドスクリーン２に設けられた突起部２Ｃと接触することによりウィンドスクリーンが装着されたことを検出する検出ＳＷ１７を備える。これにより、ウィンドスクリーン２が録音装置１に装着されたことを正確に検出することができる。
【００６４】
また、ウィンドスクリーン２の装着が検出された場合、自動的に録音装置１をスタンバイ状態に移行させることができる。このため、ユーザは、イコライズ特性に基づいて音声信号を補正させ、さらに録音装置１をスタンバイ状態に移行させる設定操作を手動で行う手間を省略することができる。
【００６５】
また、検出ＳＷ１７によりマイク部１８を保護するための保護カバーの装着が検出された場合、録音装置１の電源をオフにするので、マイク部１８を防護することができるとともに、電源の切り忘れによるバッテリ切れを防止することができる。
【００６６】
なお、上記各実施の形態における記述は、本発明に係る録音装置の一例であり、これに限定されるものではない。
【００６７】
例えば、上記実施の形態では、ウィンドスクリーン２の突起部２Ｃと録音装置１の検出ＳＷ１７との構成によりウィンドスクリーン２の種別を判別することとしたがこれに限定されるものではない。例えば、図９に示す構成によりウィンドスクリーン２の種別を判別することとしてもよい。
【００６８】
図９（Ａ）は、録音装置１がウィンドスクリーン２に装着されたときの状態を示した図である。ウィンドスクリーン２は、ホルダ部２Ａ上にリブ２Ｄが形成されている。また、録音装置１は、樹脂部材１Ａと、可変抵抗器１Ｂと、レバー１Ｃと、を備える。この構成において、録音装置１がウィンドスクリーン２に装着されると、図９（Ａ）に示すように、リブ２Ｄと樹脂部材１Ａとが接触することで、レバー１Ｃの位置が決まる。
【００６９】
図９（Ｂ）は、ウィンドスクリーンの種別に応じて、レバー１Ｃの位置が変わることを示した図である。図９（Ｂ）における上図に示すウィンドスクリーン（Ｉ）と下図に示すウィンドスクリーン（II）との種別は異なるものとする。この場合、図９（Ｂ）に示すように、ウィンドスクリーン２の種別に応じて、リブの２Ｄの位置は異なる。このため、図９（Ｂ）上図におけるレバー１Ｃの位置（ＳＷ位置（Ｉ））と、図９（Ｂ）下図におけるレバー１Ｃの位置（ＳＷ位置（II））とは異なる。この場合、図９（Ｂ）の上図と下図とでは、各々のレバー１Ｃの位置における抵抗値はそれぞれ異なる値が読み取られる。この読み取られた抵抗値とウィンドスクリーン２の種別とを対応付けたテーブルを用いることで、ウィンドスクリーンの種別を判別することができる。
【００７０】
例えば、図４（Ｃ）に示すテーブル４１の代わりに、抵抗値とウィンドスクリーンの種別とが対応付けられたテーブルが予め記憶部１６に記憶されていたとする。この場合において、例えば、ウィンドスクリーン（Ｉ）が録音装置１に装着されると、図９上図に示すレバー１Ｃの位置（ＳＷ位置（Ｉ））における抵抗値（検出信号）が可変抵抗器１ＢからＣＰＵ１１に出力される。そうすると、ＣＰＵ１１により、抵抗値が受信され、当該受信された抵抗値と一致する抵抗値がテーブルから検索される。そして、ＣＰＵ１１により、検索された抵抗値に対応するウィンドスクリーンの種別がテーブルから読み出されることで、ウィンドスクリーンの種別が判別される。
【００７１】
また、上記実施の形態では、録音条件として、イコライズ特性を用いて説明したが、これに限定されるものではない。例えば、録音条件として音声信号の信号レベルを用いることとしてもよい。
【００７２】
その他、本実施の形態における、録音装置１の細部構造及び詳細動作に関しても、本発明の趣旨を逸脱しない範囲で適宜変更可能である。
【符号の説明】
【００７３】
１     録音装置
１Ａ   樹脂部材
１Ｂ   可変抵抗器
１Ｃ   レバー
２，２１Ａ，２１Ｂ，２１Ｃ  ウィンドスクリーン
２Ａ   ホルダ部
２Ｂ   ウレタン樹脂
２Ｃ   突起部
２Ｄ   リブ
１１   ＣＰＵ
１２   ＲＯＭ
１３   ＲＡＭ
１４   表示部
１５   操作部
１６   記憶部
１７，１７Ａ，１７Ｂ  検出ＳＷ
１８   マイク部
【図１】
2010246069.tif 000003
【図２】
2010246069.tif 000004
【図３】
2010246069.tif 000005
【図４】
2010246069.tif 000006
【図５】
2010246069.tif 000007
【図６】
2010246069.tif 000008
【図７】
2010246069.tif 000009
【図８】
2010246069.tif 000010
【図９】
2010246069.tif 000011